(57)【特許請求の範囲】
【請求項１】
上面板と、略コの字状の枠体と、前面板とから構成される機器本体と、該機器本体を載置する置台とを備えると共に、前記置台には曲げ部止め孔が形成された係合部を立設し、前記枠体両端には止め孔が形成された曲げ部が形成され、前記曲げ部止め孔と止め孔とをねじにて係合することにより枠体を置台に固定する石油暖房機において、前記枠体の底部左右に底部曲げ部を形成し、置台には枠体を固定した時前記底部曲げ部の前方となる位置に底部曲げ部用係合部を立設したことを特徴とする石油暖房機。
【請求項２】
前記置台に枠体を固定した時、前記底部曲げ部と底部曲げ部用係合部との間に隙間を形成したことを特徴とする請求項１記載の石油暖房機。
【請求項３】
前記置台に枠体を固定した時、前記底部曲げ部と底部曲げ部用係合部とが当接したことを特徴とする請求項１記載の石油暖房機。
【発明の詳細な説明】
【技術分野】
【０００１】
この発明は、石油ファンヒータや石油ストーブなどの石油暖房機に関するものである。
【背景技術】
【０００２】
従来からこの種のものに於いては、置台に立設する枠体取付け片に係止孔を設け、枠体の下部に設けた係止片には突起を形成し、枠体の係止片の突起が置台の枠体取付け片の係止孔に係合するように構成し、それにより枠体を置台の所定の位置に位置決めすることができると共に、枠体取付け片と係止片のネジ孔の位置合わせができ、ネジ孔に装着する固定ネジのネジ止め作業時に枠体を支える必要がなくなって作業性を向上させていた。（例えば、特許文献１）
【先行技術文献】
【特許文献】
【０００３】
【特許文献１】特開２００７−９３０９５号公報
【発明の概要】
【発明が解決しようとする課題】
【０００４】
ところでこの従来のものでは、枠体の係止片と置台の枠体取付け片とはネジ止めされているため、輸送時の振動や衝撃、誤って落下させてしまった時の衝撃が枠体に掛かって枠体が変形してしまうという問題があった。
【課題を解決するための手段】
【０００５】
この発明はこの点に着目し上記課題を解決する為、特にその構成を請求項１では、上面板と、略コの字状の枠体と、前面板とから構成される機器本体と、該機器本体を載置する置台とを備えると共に、前記置台には曲げ部止め孔が形成された係合部を立設し、前記枠体両端には止め孔が形成された曲げ部が形成され、前記曲げ部止め孔と止め孔とをねじにて係合することにより枠体を置台に固定する石油暖房機において、前記枠体の底部左右に底部曲げ部を形成し、置台には枠体を固定した時前記底部曲げ部の前方となる位置に底部曲げ部用係合部を立設したものである。
【０００６】
又請求項２に係る石油暖房機では、特にその構成を請求項１に於いて、前記置台に枠体を固定した時、前記底部曲げ部と底部曲げ部用係合部との間に隙間を形成したものである。
【０００７】
又請求項３に係る石油暖房機では、特にその構成を請求項１に於いて、前記置台に枠体を固定した時、前記底部曲げ部と底部曲げ部用係合部とが当接したものである。
【発明の効果】
【０００８】
この発明の請求項１によれば、前記枠体の底部左右に底部曲げ部を形成し、置台には枠体を固定した時前記底部曲げ部の前方となる位置に底部曲げ部用係合部を立設したので、落下等による衝撃が加わった時、枠体の底部曲げ部の先端が置台の底部曲げ部用係合部に当接するので、枠体の曲げ部が変形するのを防止できるものである。
【０００９】
又、本発明の請求項２に記載の石油暖房機によれば、前記置台に枠体を固定した時、前記底部曲げ部と底部曲げ部用係合部との間に隙間を形成したので、落下等による衝撃が加わった時、枠体の曲げ部の曲げ部分が移動することでその衝撃を受けつつ、枠体の底部曲げ部の先端が置台の底部曲げ部用係合部に当接するので、衝撃が枠体に掛からないようにしつつ枠体の曲げ部が変形するのを防止できるものである。
【００１０】
又本発明の請求項３に記載の石油暖房機によれば、前記置台に枠体を固定した時、前記底部曲げ部と底部曲げ部用係合部とが当接したので、落下等による衝撃が加わった時、衝撃を枠体の曲げ部の止め孔と置台の係合部の曲げ部止め孔とをねじ止めした部分と、底部曲げ部用係合部と底部曲げ部の先端とが当接した部分とで分散して受け止め、枠体の曲げ部の曲げ部分が移動しないようにして、枠体の曲げ部が変形するのを防止できるものである。
【図面の簡単な説明】
【００１１】
【図１】この発明の一実施形態を示す石油暖房機の斜視図。
【図２】同機器本体と置台とを示す概略図。
【図３】同底部曲げ部と底部曲げ部用係合部とを示す要部拡大図。
【図４】同要部側面図。
【発明を実施するための形態】
【００１２】
次に、本発明に係る発明の１実施形態を図面に基づいて説明する。
１は燃焼部（図示せず）を備えた機器本体であり、２は機器本体１の上面を構成する上面板、３は略コの字状の枠体、４は前面板、５は機器本体１を載置する置台、６は上面板２にあり各種スイッチで操作を行う操作部、７は操作部６で行った操作内容等を液晶画面に表示する表示部、８は前面板４に形成され開閉シャッタ９により開閉される温風吹出口である。
【００１３】
前記枠体３の両端は略直角に曲げられた曲げ部１０が形成されていると共に、枠体３の底部の左右及び背面部分にも底部曲げ部１１が形成されている。
又、枠体３の曲げ部１０の下方に止め孔１２が形成されていると共に、前記置台５の正面前方両端部分には、曲げ部止め孔１３が形成された係合部１４が切り起こされて立設され、更に該係合部１４の外側には、平常時には底部曲げ部１１の先端とは当接せず、機器本体１に衝撃等が加わった時に底部曲げ部１１の先端と当接する底部曲げ部用係合部１５が切り起こされて立設されている。
【００１４】
次に、枠体３と置台５との組み付け状態について説明する。
枠体３には、その両端の曲げ部１０の下方に止め孔１２０が形成されていると共に、背面部分の下方の両端と略中央の三カ所にも止め孔（図示せず）が形成されており、又置台５の正面前方両端部分には、曲げ部１０の止め孔１２と係合する曲げ部止め孔１３が形成された係合部１４が切り起こされて立設されていると共に、背面の部分の両端と略中央の三カ所にも、枠体３背面部分の下方の止め孔と係合する背面部止め孔（図示せず）が形成された背面係合部（図示せず）が切り起こされて立設されており、枠体３の曲げ部１０の止め孔１２と置台５の係合部１４の曲げ部止め孔１３がねじ１６にてねじ止めされ、枠体３の止め孔と置台５の背面係合部の背面部止め孔がねじ（図示せず）にてねじ止めされている。
【００１５】
この状態で輸送時の振動や衝撃、誤って落下させてしまった時の衝撃が枠体３に掛かった時、置台５の背面から正面に向かって力が掛かると、置台５の背面係合部と係合している枠体３背面部分は、力が置台５の背面係合部に掛かかるが、枠体３の両端部分は掛かった力により前方向に変形しようとする。
【００１６】
枠体３の前方部分は両端の曲げ部１０が置台５の係合部１４にねじ止めされているため、枠体３の両端部分に掛かった力は、曲げ部１０の曲げ部分に掛かって曲げ部１０の曲げ部分を前方向に変形させようとする。
【００１７】
この時枠体３の曲げ部１０の曲げ部分が、衝撃により瞬間的に前に移動しようとするが、枠体３の底部曲げ部１１の先端が置台５の底部曲げ部用係合部１５に当接して枠体３の曲げ部１０が変形するのを防止し、衝撃が掛かった後、枠体３は復元力により元の位置に戻って枠体３の底部曲げ部１１の先端が置台５の底部曲げ部用係合部１５に当接しない状態になるものである。
【００１８】
これにより、枠体３と置台５とは、枠体３の曲げ部１０の止め孔１２と置台５の係合部１４の曲げ部止め孔１３とをねじ止めすることで係合でき、落下等による衝撃が加わった時、枠体３の曲げ部１０の曲げ部分が移動することでその衝撃を受けつつ、枠体３の底部曲げ部１１の先端が置台５の底部曲げ部用係合部１５に当接するので、衝撃が枠体３に掛からないようにしつつ枠体３の曲げ部１０が変形するのを防止できるものである。
【００１９】
尚、本実施例では、平常時には底部曲げ部用係合部１５は底部曲げ部１１の先端とは当接しないがこれに限定されず、平常時から底部曲げ部１１の先端と当接していてもよいものである。
【００２０】
この場合は、落下等による衝撃が加わった時、衝撃を枠体３の曲げ部１０の止め孔１２と置台５の係合部１４の曲げ部止め孔１３とをねじ止めした部分と、底部曲げ部用係合部１５と底部曲げ部１１の先端とが当接した部分とで分散して受け止め、枠体３の曲げ部１０の曲げ部分が移動しないようにして、枠体３の曲げ部１０が変形するのを防止できるものである。
【符号の説明】
【００２１】
１  機器本体
２  上面板
３  枠体
４  前面板
５  置台
１０  曲げ部
１１  底部曲げ部
１２  止め孔
１３  曲げ部止め孔
１４  係合部
１５  底部曲げ部用係合部
１６  ねじ
【図１】
0005478457.tif 000002
【図２】
0005478457.tif 000003
【図３】
0005478457.tif 000004
【図４】
0005478457.tif 000005